(57)【要約】【課題】急に強風が吹いても倒壊する心配がなく、構造が簡単な建築工事用シートを提供すること。【解決手段】シート本体２の一部に開閉可能な風抜き窓部３を形成し、所定強さ以上の風圧を受けた時に外れる係止具７，７’で風抜き窓部３をシート本体２へ係止することにより、風抜き窓部３の開放を規制してある。【選択図】図１
0003141607.tif 000002
【実用新案登録請求の範囲】
【請求項１】
シート本体の一部に開閉可能な風抜き窓部を形成し、所定強さ以上の風圧を受けた時に外れる係止具で前記風抜き窓部を前記シート本体へ係止することにより、前記風抜き窓部の開放を規制してあることを特徴とする建築工事用シート。
【請求項２】
前記係止具がベルベットクロスファスナー及び／又は磁石である請求項１に記載の建築工事用シート。
【請求項３】
前記シート本体の角部に前記風抜き窓部を形成してある請求項１又は２に記載の建築工事用シート。
【請求項４】
前記シート本体の中央部に前記風抜き窓部を形成してある請求項１又は２に記載の建築工事用シート。
【請求項５】
前記シート本体に切れ目を入れ、該切れ目で囲まれた部分を前記風抜き窓部としてある請求項１〜４のいずれかに記載の建築工事用シート。
【請求項６】
互いに交差する２本の切れ目で囲まれた三角形の風抜き窓部を形成してある請求項５に記載の建築工事用シート。
【請求項７】
前記シート本体に、切れ目の交点から前記風抜き窓部と逆側へ向かってスリットを形成してある請求項６に記載の建築工事用シート。
【請求項８】
前記風抜き窓部及びシート本体において、前記風抜き窓部が閉じたとき合致する箇所に紐の両端部をそれぞれ摺動可能に挿通し、該紐を介して前記風抜き窓部とシート本体とを連結してある請求項１〜７のいずれかに記載の建築工事用シート。
【請求項９】
前記風抜き窓部に補強用の骨を配設してある請求項１〜８のいずれかに記載の建築工事用シート。
【請求項１０】
前記シート本体及び風抜き窓部に、該風抜き窓部を開いた状態で保持するための着脱自在な保持具を設けてある請求項１〜９のいずれかに記載の建築工事用シート。
【考案の詳細な説明】
【技術分野】
【０００１】
本考案は、建築現場において足場等に取り付け、塗料や塵埃の飛散を防ぐための建築工事用シートに関する。
【背景技術】
【０００２】
建築物の外壁をガン噴き塗装すると、ガン先から噴出した塗料が飛散して周囲を汚す虞がある。そこで、通常、塗装工事を行なう際には、約１．８ｍ間隔で組んだ足場に、３．６ｍ×５．４ｍ程度のメッシュシートを張って建築物を覆い、塗料が飛散するのを防いでいる。
また、建築物を破壊する場合には、破壊の衝撃で塵埃が飛び散るので、破壊箇所をシートで囲み、塵埃の飛散を防ぐのが一般的である。
ところが、このようなシートは屋外に張設してあるため、強い風が吹くとシートが風を受け、足場等の支持パイプと共に倒壊することがある。
【０００３】
台風が接近する時のように強風が予想される場合には、予めシートを外したり、畳んで風が抜けるようにするのであるが、夜間、休日等の人気の無い時に強風が吹いたり、突然予期しない強風が吹くと対処することができない。特に、建築物の一部を覆っているシート、或いは、外形に凹凸のある建築物を覆っているシートは、内側から風を受けやすく、倒壊事故が発生しやすい。
従来、建築工事用のシートとして、シートの周縁部に膨大部を形成し、この膨大部をシート張設用具の第一の孔にスリットを通して摺動自在に係合したものが知られている（特許文献１参照）。
また、網目状ネットで建造物を覆い、風向や風速の変化に対応して、塗料の飛散を効率良く防ぐ装置が公知である（特許文献２参照）。
【０００４】
【特許文献１】特開平８−２３２４７６号公報
【特許文献２】特開２００７−９８３７６号公報
【考案の開示】
【考案が解決しようとする課題】
【０００５】
しかし、特許文献１に記載のシートは、張設を簡単にすることはできるが、風に対する配慮がなされたものではない。
また、特許文献２に記載の装置は、風向及び風速を測定する風向・風速計と、風向・風速計の測定データに基づいて網目状ネットの設置位置を決定するコンピュータを備えているため、非常に複雑で高価なものとなり、しかも、風による倒壊を防ぐことは考慮されていない。
本考案が解決しようとする課題は、上記従来技術の欠点を解消し、急に強風が吹いても倒壊する心配がなく、構造が簡単な建築工事用シートを提供することにある。
【課題を解決するための手段】
【０００６】
本考案の建築工事用シートは、シート本体の一部に開閉可能な風抜き窓部を形成してなり、所定強さ以上の風圧を受けた時に外れる係止具で前記風抜き窓部を前記シート本体へ係止することにより、前記風抜き窓部の開放を規制してある。
前記係止具としては、ベルベットクロスファスナー又は磁石があり、両者を併用することもある。
前記風抜き窓部は、前記シート本体の角部に形成しても良いし、シート本体の中央部に形成しても良い。
【０００７】
前記シート本体に切れ目を入れ、該切れ目で囲まれた部分を前記風抜き窓部とすることができる。
この場合、互いに交差する２本の切れ目で囲まれた三角形の風抜き窓部を形成することがあり、前記シート本体に、切れ目の交点から前記風抜き窓部と逆側へ向かってスリットを形成すると良い。
前記風抜き窓部及びシート本体において、前記風抜き窓部が閉じたとき合致する箇所に紐の両端部をそれぞれ摺動可能に挿通し、該紐を介して前記風抜き窓部とシート本体とを連結しても良い。
前記風抜き窓部に補強用の骨を配設することもある。
前記シート本体及び風抜き窓部に、該風抜き窓部を開いた状態で保持するための着脱自在な保持具を設けても良い。
【考案の効果】
【０００８】
請求項１〜４に係る考案によれば、強風を受けると係止具が外れて風抜き窓部が開き、開いた風抜き窓部から風が抜けるので、人気のない時に強風が吹いたり、突然強風が吹いても、風力により足場等の支持パイプと共に倒壊するのを防ぐことができる。
また、一般的なシートに風抜き窓部を形成するだけで、複雑な装置を必要としないので、構造が簡単で製造コストも低廉で済む。
請求項５に係る考案によれば、簡単に風抜き窓部を形成できる。
請求項６に係る考案によれば、風抜き窓部の頂部をシート本体に係止するだけで風抜き窓部を閉じることができるので、風抜き窓部とシート本体の位置合わせが容易であり、係止具の数も少なくて済む。
【０００９】
請求項７に係る考案によれば、スリットが開いて風抜き窓部がシート本体に対して内外いずれの側にも開きやすいため、確実に風を抜くことが可能となる。
請求項８に係る考案によれば、風抜き窓部が開いた後、紐を引くだけで簡単に風抜き窓部を元の位置に戻して閉じることができる。
請求項９に係る考案によれば、風抜き窓部の強度が高まるので、開閉を繰り返しても風抜き窓部が破損し難い。
請求項１０に係る考案によれば、予め強風が吹くと分かっている場合や、一日の作業終了時に風抜き窓部を開いた状態で保持しておくことができ、強風予想のたびに建築工事用シートを外す手間が省け、開いた風抜き窓部がばたつく心配もない。
【考案を実施するための最良の形態】
【００１０】
以下、本考案の実施例を図面に基づいて詳細に説明する。
図１〜図６は、本考案の実施例１を示す。
図１に示すように、本実施例の建築工事用シート１は、シート本体２の四隅部に開閉可能な風抜き窓部３をそれぞれ形成して成る。
シート本体２は、一般的な塗料飛散防止用のシートと同様の寸法を有するメッシュシートより成る。シート本体２の周縁には補強テープ４を装着し、補強テープ４を装着した部分に多数のハトメ金具５を適宜間隔ごとに取り付けてある。そして、ハトメ金具５に通したロープ等により、建築工事用シート１を足場へ連結できるようになっている。
【００１１】
図２及び図３に示すように、シート本体２の角部には、隣接する二つの周縁と平行な長さ約９０ｃｍの２本の切れ目６，６’を、互いに直交するよう形成してあり、２本の切れ目６，６’で囲まれた三角形の部分が風抜き窓部３となっている。
また、シート本体２及び風抜き窓部３には、切れ目６，６’に沿って補強テープ４’を装着し、図４〜図６に示すように、補強テープ４’を装着した部分において、シート本体２及び風抜き窓部３の切れ目６，６’の交点近傍には、互いに係合可能な係止具７，７’を取り付けてある。
【００１２】
係止具７，７’は、着脱自在に係合する雌雄のベルベットクロスファスナー、硬質の磁石又は可撓性磁石より成り、その一方が風抜き窓部３側に、他方がシート本体２側にそれぞれ装着されている。そして、通常は係止具７，７’が係止して風抜き窓部３は閉じているが（図２及び図４）、所定強さ以上の風圧を受けた時には、係止具７，７’が外れて風抜き窓部３が開き（図３、図５及び図６）、風が抜けるようになっている。
風抜き窓部３は、風向きによって内外面いずれの側にも開くことができ、開いた風抜き窓部３を通して風力を逃がすことができるため、建築工事用シート１が風を受けて足場と共に倒壊するのを防ぐ。
【００１３】
図７は、本考案の実施例２を示す。
シート本体２に、切れ目６，６’の交点から風抜き窓部３と逆側へ向けてスリット８を形成してある。
本実施例によれば、強い風を受けて係止具７，７’が外れた時、スリット８が開いて風抜き窓部３はシート本体２に対し内外いずれの側へも開き易くなる。
その他の構成は実施例１と同様なので、共通する部分には同一符号を付して、詳細な説明を省略する。
【００１４】
図８は、本考案の実施例３を示す。
風抜き窓部３及びシート本体２において、風抜き窓部３を閉じたとき合致する箇所（本実施例では、切れ目６，６’の交点近傍）に、それぞれハトメ孔９，９’を形成し、ハトメ孔９，９’に紐１０の両端部をそれぞれ摺動可能に挿通して、風抜き窓部３の頂部とシート本体２とを紐１０で連結してある。紐１０の両端には抜け止めを設けてあり、ハトメ孔９，９’から抜けないようになっている。
従って、風を受けて係止具７，７’が外れると、風抜き窓部３は紐１０の長さ分だけ開き、シート本体２のハトメ孔９’の裏から紐１０を引くと、風抜き窓部３がシート本体２に接近して元の位置に戻り、閉鎖状態となる。
その他の構成は、実施例１又は２と同じである。
【００１５】
図９は、本考案の実施例４を示す。
風抜き窓部３に、その頂部から底辺中間部に向かってやや硬い樹脂を素材とした補強用の骨１１を配設してある。
その他の構成は、実施例１〜３のいずれかと同様とするが、風抜き窓部３の面積によって複数の骨１１を配設することもでき、骨１１の配設箇所を変えることも可能である。
【００１６】
図１０及び図１１は、本考案の実施例５を示す。
シート本体２及び風抜き窓部３に、風抜き窓部３を開いた時に互いに係止し、風抜き窓部３を開いた状態で保持できる着脱自在な保持具１２，１２’をそれぞれ設けてある。
保持具１２，１２’は、雌雄のベルベットクロスファスナー又は磁石より成り、シート本体２及び風抜き窓部３の内外面のいずれに装着しても良い。
本実施例によれば、強風が予想される場合や一日の作業終了時に、風抜き窓部３を開いておき、人気の無いときにも確実に風を抜くことができるばかりか、開いた風抜き窓部３がばたつくこともない。
その他の構成は、実施例１〜４のいずれかと同じくする。
【００１７】
本考案は上記各実施例に限定されるものではない。
例えば、シート本体２は、用途に応じてビニールシート、織布シート、不織布シート等とすることができ、風抜き窓部３の寸法も変更可能である。
また、やや複雑な構造ではあるが、３本の切れ目で囲まれた四角形の風抜き窓部を形成しても良く、湾曲した１本の切れ目で囲まれた風抜き窓部とすることも可能である。
さらに、シート本体２の中央部分に、１つ乃至複数の風抜き窓部を形成することもできる。
また、１つの風抜き窓部を複数の係止具でシート本体に係止することもできるが、あまり係止具の数を増やすと風抜き窓部が開き難くなるので、風抜き窓部の面積や形状に応じて開放を阻害しない程度とする。なお、複数の係止具を装着する場合には、ベルベットクロスファスナーと磁石を併用しても良い。
【図面の簡単な説明】
【００１８】
【図１】実施例１を示す建築工事用シートの正面図。
【図２】実施例１を示す建築工事用シートの風抜き窓部閉鎖状態における要部正面図。
【図３】実施例１を示す建築工事用シートの風抜き窓部開放状態における要部正面図。
【図４】実施例１を示す建築工事用シートの風抜き窓部閉鎖状態における要部断面図。
【図５】実施例１を示す建築工事用シートの風抜き窓部が一側へ開いた状態における要部断面図。
【図６】実施例１を示す建築工事用シートの風抜き窓部が他側へ開いた状態における要部断面図。
【図７】実施例２を示す建築工事用シートの要部正面図。
【図８】実施例３を示す建築工事用シートの要部正面図。
【図９】実施例４を示す建築工事用シートの要部正面図。
【図１０】実施例５を示す建築工事用シートの風抜き窓部閉鎖状態における正面図。
【図１１】実施例５を示す建築工事用シートの風抜き窓部開放状態における正面図。
【符号の説明】
【００１９】
１  建築工事用シート
２  シート本体
３  風抜き窓部
４，４’  補強テープ
５  ハトメ金具
６，６’  切れ目
７，７’  係止具
８  スリット
９，９’  ハトメ孔
１０  紐
１１  骨
１２，１２’  保持具
【図１】
0003141607.tif 000003
【図２】
0003141607.tif 000004
【図３】
0003141607.tif 000005
【図４】
0003141607.tif 000006
【図５】
0003141607.tif 000007
【図６】
0003141607.tif 000008
【図７】
0003141607.tif 000009
【図８】
0003141607.tif 000010
【図９】
0003141607.tif 000011
【図１０】
0003141607.tif 000012
【図１１】
0003141607.tif 000013